【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
搬送業界内で、少なくとも１つの視覚的表現を使用して、少なくとも１つの搬送クライアントの少なくとも１つの搬送クライアント選好および前記少なくとも１つの搬送クライアントの少なくとも１つのリアルタイムまたはほぼリアルタイムの地理的位置に関連する少なくとも１つの好ましい搬送サービス提供を確保または取得する少なくとも１つのプロセスにおいて少なくとも１つの搬送クライアントを支援するための、リアルタイムまたはほぼリアルタイムのシステムであって、
ａ）少なくとも１つの外部サーバであって、
ｉ）少なくとも１つのコンピュータプロセッサと、
ｉｉ）少なくとも１つのコンピュータ可読メモリと
ｉｉｉ）少なくとも１つのネットワークインターフェースと、
ｉｖ）複数の搬送サービス提供の少なくとも１つのリアルタイムまたはほぼリアルタイムのソースと
を備える少なくとも１つの外部サーバと、
ｂ）少なくとも１つの中央サーバであって、
ｉ）少なくとも１つのコンピュータプロセッサと、
ｉｉ）少なくとも１つのコンピュータ可読メモリと、
ｉｉｉ）少なくとも１つのネットワークインターフェースと
を備える少なくとも１つの中央サーバと、
ｃ）少なくとも１つの端末であって、
少なくとも１つの電子計算装置であって、
（ｉ）少なくとも１つのコンピュータプロセッサと、
（ｉｉ）少なくとも１つのコンピュータ可読メモリと、
（ｉｉｉ）少なくとも１つの入力ソースと、
（ｉｖ）少なくとも１つのディスプレイと、
（ｖ）少なくとも１つの地理的位置モジュールと、
（ｖｉ）少なくとも１つのネットワークインターフェースと、
を備える少なくとも１つの電子計算装置
を備える少なくとも１つの端末と、
ｄ）少なくとも１つのアプリケーションであって、
ｉ）前記少なくとも１つの視覚的表現を表示するように動作可能な少なくとも１つのコンピュータプログラム、
ｉｉ）前記少なくとも１つの好ましい搬送サービス提供を確保または取得するように動作可能な前記少なくとも１つのコンピュータプログラム、
ｉｉｉ）またはそれらの組み合わせ
を含む少なくとも１つのアプリケーションと、
ｅ）少なくとも１つのリンクであって、
ｉ）少なくとも１つの電子通信ネットワークチャネル、
ｉｉ）少なくとも１つのソフトウェア機能または少なくとも１つのソフトウェアコンポーネントとの少なくとも１つの接続または少なくとも１つの関連付け、
ｉｉｉ）またはそれらの組み合わせ
を含む少なくとも１つのリンクと、
ｆ）複数の搬送サービス提供であって、
少なくとも１つの個々の搬送サービス提供であって、
（ｉ）少なくとも１つの地理的位置から少なくとも１つの他の地理的位置へ少なくとも１人の人、少なくとも１つの商品、少なくとも１つの物、またはそれらの組み合わせを輸送するための少なくとも１つの提供と、
（ｉｉ）リアルタイムまたはほぼリアルタイムで更新される前記個々の搬送サービス提供と、
（ｉｉｉ）前記個々の搬送サービス提供に対応する定性的及び定量的搬送データと、
を含む少なくとも１つの個々の搬送サービス提供
を含む複数の搬送サービス提供と、
ｇ）複数のフィルタリングされた搬送サービス提供であって、
ｉ）前記少なくとも１つの搬送クライアント選好、および前記少なくとも１つの搬送クライアントの前記少なくとも１つのリアルタイムまたはほぼリアルタイムの地理的位置を使用して、前記複数の搬送サービス提供の全部または一部をフィルタリングした少なくとも１つの結果である、前記複数の搬送サービス提供の全部または一部の少なくとも１つのサブセットと、
ｉｉ）リアルタイムまたはほぼリアルタイムで更新される前記複数のフィルタリングされた搬送サービス提供の全部または一部と、
ｉｉｉ）個々のフィルタリングされた搬送サービス提供に対応する定性的および定量的搬送データと、
を含む複数のフィルタリングされた搬送サービス提供と、
ｈ）少なくとも１つの好ましい搬送サービス提供であって、
ｉ）前記少なくとも１人の人、前記少なくとも１つの商品、前記少なくとも１つの物、またはそれらの組合せを、少なくとも１つの地理的位置から、前記複数のフィルタリングされた搬送サービス提供の全部または一部から識別される少なくとも１つの他の地理的位置に輸送するための前記少なくとも１つの提供と、
ｉｉ）リアルタイムまたはほぼリアルタイムで更新される前記少なくとも１つの好ましい搬送サービス提供と、
ｉｉｉ）個々の好ましい搬送サービス提供に対応する定性的および定量的搬送データと、
を含む少なくとも１つの好ましい搬送サービス提供と、
ｉ）少なくとも１つの搬送クライアントであって、
ｉ）前記少なくとも１つの視覚的表現を分析または評価し、次いで、前記少なくとも１つの好ましい搬送サービス提供を確保または取得する、少なくとも１人の人、少なくとも１つの機械、またはそれらの組合せを含み、
ｉｉ）前記少なくとも１つの搬送クライアントは、少なくとも１つの搬送サービスを受ける、
少なくとも１つの搬送クライアントと、
ｊ）少なくとも１つの搬送クライアント選好であって、
ｉ）前記複数の搬送サービス提供の全部または一部を前記複数のフィルタリングされた搬送サービス提供の全部または一部にフィルタリングするために使用される、前記少なくとも１つの搬送クライアントによって選択または提供される少なくとも１つのオプションを含み、
ｉｉ）前記少なくとも１つの搬送クライアント選好が、前記少なくとも１つの好ましい搬送サービス提供を識別するために使用される、
搬送クライアント選好と、
ｋ）少なくとも１つの視覚的表現であって、
対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、またはそれらの組合せの全部または一部を表示する少なくとも１つの地理的マップ
を含む少なくとも１つの視覚的表現と、
を含み、
前記少なくとも１つのアプリケーションと前記少なくとも１つの中央サーバとの間の少なくとも１つのリンクを介して前記少なくとも１つの中央サーバにリアルタイムまたはほぼリアルタイムで送信される、少なくとも１つのサービス開始地理的位置、少なくとも１つのサービス終了地理的位置、前記少なくとも１つの搬送クライアント選好、またはそれらの組み合わせが、前記少なくとも１つのアプリケーションに入力または提供され、
さらに、前記少なくとも１つのサービス開始地理的位置、前記少なくとも１つのサービス終了地理的位置、前記少なくとも１つの搬送クライアント選好、またはそれらの組合せが、前記少なくとも１つの中央サーバと前記少なくとも１つの外部サーバとの間の少なくとも１つのリンクを介して、前記少なくとも１つの中央サーバから前記少なくとも１つの外部サーバにリアルタイムまたはほぼリアルタイムで送信され、
さらに、前記複数の搬送サービス提供の全部または一部が、前記少なくとも１つの外部サーバと前記少なくとも１つの中央サーバとの間の少なくとも１つのリンクを介して、前記少なくとも１つの外部サーバと前記少なくとも１つの中央サーバとの間でリアルタイムまたはほぼリアルタイムで送信され、
さらに、対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、前記少なくとも１つの搬送クライアントの前記少なくとも１つのリアルタイムまたはほぼリアルタイムの地理的位置、またはそれらの組合せが、前記少なくとも１つの中央サーバと前記少なくとも１つのアプリケーションとの間の少なくとも１つのリンクを介して、前記少なくとも１つの中央サーバと前記少なくとも１つのアプリケーションとの間でリアルタイムまたはほぼリアルタイムで送信され、
さらに、前記少なくとも１つのアプリケーションは前記少なくとも１つの端末上で動作し、前記少なくとも１つの搬送クライアントは、前記少なくとも１つのアプリケーションを使用して、対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、またはそれらの組合せの全部または一部の前記少なくとも１つの視覚的表現を分析または評価し、
さらに、前記少なくとも１つの搬送クライアントは、前記少なくとも１つのアプリケーションを使用して、前記少なくとも１つの視覚的表現を分析または評価し、次いで、前記少なくとも１つの好ましい搬送サービス提供を確保または取得し、
さらに、前記少なくとも１つの外部サーバは、前記少なくとも１つの外部サーバと前記少なくとも１つの中央サーバとの間の少なくとも１つのリンクを介して、前記少なくとも１つの外部サーバから前記少なくとも１つの中央サーバにリアルタイムまたはほぼリアルタイムで送信される前記複数の搬送サービス提供の全部または一部の少なくとも１つのリアルタイムまたはほぼリアルタイムのソースであり、
さらに、前記複数の搬送サービス提供の全部または一部は、リアルタイムまたはほぼリアルタイムで更新され、
さらに、前記少なくとも１つの中央サーバは、リアルタイムまたはほぼリアルタイムで、前記複数の搬送サービス提供の全部または一部の標準化、集約、またはそれらの組合せを実行し、
さらに、前記少なくとも１つの中央サーバは、リアルタイムまたはほぼリアルタイムで、前記少なくとも１つの搬送クライアント選好と、前記少なくとも１つの搬送クライアントの前記少なくとも１つのリアルタイムまたはほぼリアルタイムの地理的位置とを使用することによって、前記複数の搬送サービス提供の全部または一部をフィルタリングして、前記複数のフィルタリングされた搬送サービス提供の全部または一部を識別し、
さらに、前記複数のフィルタリングされた搬送サービス提供の全部または一部は、リアルタイムまたはほぼリアルタイムで更新され、
さらに、前記少なくとも１つの中央サーバは、前記少なくとも１つの搬送クライアント選好に関連する前記複数のフィルタリングされた搬送サービス提供の全部または一部から、前記少なくとも１つの好ましい搬送サービス提供をリアルタイムまたはほぼリアルタイムで識別し、
さらに、前記少なくとも１つの好ましい搬送サービス提供は、リアルタイムまたはほぼリアルタイムで更新され、
さらに、前記少なくとも１つの中央サーバは、対応する搬送データが関連付けられた前記複数のフィルタリングされた搬送サービス提供の全部または一部、対応する搬送データが関連付けられた前記少なくとも１つの好ましい搬送サービス提供、前記少なくとも１つの搬送クライアント選好、またはそれらの組合せを、前記少なくとも１つの中央サーバと前記少なくとも１つのアプリケーションとの間の少なくとも１つのリンクを介して、前記少なくとも１つのアプリケーションにリアルタイムまたはほぼリアルタイムで送信し、
さらに、前記少なくとも１つの端末は、前記少なくとも１つのアプリケーションの少なくとも１つの入力機能、少なくとも１つの表示機能、および操作を容易にするか、または提供し、前記少なくとも１つのアプリケーションとインターフェースをとるために前記少なくとも１つの搬送クライアントによって使用され、
さらに、前記少なくとも１つの端末、前記少なくとも１つのアプリケーション、前記少なくとも１つの中央サーバ、前記少なくとも１つの外部サーバ、少なくとも１つのリンク、またはそれらの組合せが結合または統合され、
さらに、前記少なくとも１つのアプリケーションは、対応する搬送データが関連付けられた前記複数のフィルタリングされた搬送サービス提供、対応する搬送データが関連付けられた前記少なくとも１つの好ましい搬送サービス提供、前記少なくとも１つの搬送クライアント選好、またはそれらの組合せの全部または一部の前記少なくとも１つの視覚的表現をリアルタイムまたはほぼリアルタイムでコンパイルし、
さらに、前記少なくとも１つのアプリケーションは、リアルタイムまたはほぼリアルタイムで更新される前記少なくとも１つの視覚的表現を表示し、
さらに、前記少なくとも１つの搬送クライアントは、前記少なくとも１つのアプリケーションを使用して、前記少なくとも１つの視覚的表現を分析または評価し、次いで、前記少なくとも１つの好ましい搬送サービス提供を確保または取得し、
さらに、前記少なくとも１つの搬送クライアントは、前記少なくとも１つの搬送サービスを受ける、
システム。
【請求項２】
前記複数の搬送サービス提供の全部または一部、前記少なくとも１つの搬送クライアントの前記少なくとも１つのリアルタイムまたはほぼリアルタイムの地理的位置、またはそれらの組合せが、少なくとも１つの異なるフォーマットで構造化され、少なくとも１つの一様なフォーマットに標準化または変換される、
請求項１に記載のシステム。
【請求項３】
前記少なくとも１つのアプリケーションが、前記少なくとも１つの中央サーバ上で動作する、
請求項１に記載のシステム。
【請求項４】
対応する搬送データが関連付けられた前記複数の搬送サービス提供の全部または一部が、少なくとも１つの搬送業界セグメントで活動する少なくとも１つのサービスプロバイダまたは少なくとも１つの商品サプライヤによって供給または提供される、
請求項１に記載のシステム。
【請求項５】
前記複数の搬送サービス提供の全部または一部が、少なくとも１つのライドヘイルサービス提供、少なくとも１つのライドシェアサービス提供、少なくとも１つのカーシェアサービス提供、少なくとも１つのピアツーピア搬送サービス提供、少なくとも１つの輸送サービス提供、少なくとも１つの人物配達サービス提供、少なくとも１つのタクシーサービス提供、少なくとも１つのシャトルサービス提供、少なくとも１つの商品配達サービス提供、少なくとも１つのアイテム配達サービス提供、少なくとも１つの医療サービスおよび配達提供、少なくとも１つの食品配達サービス提供、少なくとも１つの宅配便配達サービス提供、少なくとも１つの貨物配達サービス提供、少なくとも１つの動物配達サービス提供、少なくとも１つの配達サービス提供、またはそれらの組合せを含む、
請求項１に記載のシステム。
【請求項６】
搬送データが、少なくとも１つのサービス開始地理的位置、少なくとも１つのサービス終了地理的位置、価格設定情報、高価格設定情報、少なくとも１つの搬送クライアント選好、少なくとも１つの距離パラメータ、少なくとも１つの推定到着時間、少なくとも１つの目的地までの時間、少なくとも１つの搬送クライアント地理的位置、少なくとも１つの搬送クライアント評価、少なくとも１つの搬送クライアント格付け、少なくとも１つの搬送クライアント詳細、少なくとも１つの搬送サービス詳細、少なくとも１つの搬送サービスルート、少なくとも１つの好ましい代理人、少なくとも１つのセンサデータ、少なくとも１つの代理人地理的位置、少なくとも１つの代理人評価、少なくとも１つの代理人格付け、少なくとも１つの代理人詳細、少なくとも１つの自律車両地理的位置、少なくとも１つの自律車両評価、少なくとも１つの自律車両格付け、少なくとも１つの自律車両詳細、少なくとも１つの好ましい自律車両、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つのサービスプロバイダ地理的位置、少なくとも１つのサービスプロバイダ評価、少なくとも１つのサービスプロバイダ格付け、少なくとも１つのサービスプロバイダ詳細、少なくとも１つの好ましいサービスプロバイダ、少なくとも１つの商品サプライヤ地理的位置、少なくとも１つの商品サプライヤ評価、少なくとも１つの商品サプライヤ格付け、少なくとも１つの商品サプライヤ詳細、少なくとも１つの好ましい商品サプライヤ、少なくとも１つの自律車両の少なくとも１つのオーナまたは少なくとも１つのコントローラの地理的位置、少なくとも１つの自律車両評価の少なくとも１つのオーナまたは少なくとも１つのコントローラ、少なくとも１つの自律車両格付けの少なくとも１つのオーナまたは少なくとも１つのコントローラ、少なくとも１つの自動車詳細の少なくとも１つのオーナまたは少なくとも１つのコントローラ、少なくとも１つの自律車両の少なくとも１つの好ましいオーナまたは少なくとも１つの好ましいコントローラ、少なくとも１つのフリートマネージャ地理的位置、少なくとも１つのフリートマネージャ評価、少なくとも１つのフリートマネージャ格付け、少なくとも１つのフリートマネージャ詳細、少なくとも１つの好ましいフリートマネージャ、少なくとも１つのロジスティクスプロバイダ地理的位置、少なくとも１つのロジスティクスプロバイダ評価、少なくとも１つのロジスティクスプロバイダ格付け、少なくとも１つのロジスティクスプロバイダ詳細、少なくとも１つの好ましいロジスティクスプロバイダ、少なくとも１つのロジスティクスサプライヤ地理的位置、少なくとも１つのロジスティクスサプライヤ評価、少なくとも１つのロジスティクスサプライヤ格付け、少なくとも１つのロジスティクスサプライヤ詳細、少なくとも１つの好ましいロジスティクスサプライヤ、少なくとも１つの搬送業界セグメント詳細、少なくとも１つの好ましい搬送業界セグメント、少なくとも１つの商品詳細、少なくとも１つのアイテム詳細、少なくとも１つのタイプの車両詳細、少なくとも１つの車両詳細、少なくとも１つの統計変数の少なくとも１つの測定値、少なくとも１つのサービスレベル詳細、少なくとも１つの燃料消費、少なくとも１つのバッテリレベル、少なくとも１つの車両診断、少なくとも１つの車両容量、またはそれらの組合せを含む、
請求項１に記載のシステム。
【請求項７】
前記複数の搬送サービス提供の全部または一部が、前記少なくとも１つの搬送クライアント選好および前記少なくとも１つの搬送クライアントの前記少なくとも１つのリアルタイムまたはほぼリアルタイムの地理的位置に関してフィルタリングされ、前記複数のフィルタリングされた搬送サービス提供の全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される、
請求項１に記載のシステム。
【請求項８】
前記少なくとも１つの好ましい搬送サービス提供が、前記少なくとも１つの搬送クライアント選好の少なくとも１つの加重平均に関連する前記複数のフィルタリングされた搬送サービス提供の全部または一部から識別される、
請求項７に記載のシステム。
【請求項９】
前記複数の搬送サービス提供の全部または一部をフィルタリングする際に、前記少なくとも１つの搬送クライアントの前記少なくとも１つのリアルタイムまたはほぼリアルタイムの地理的位置以外の少なくとも１つの異なる地理的位置が使用される、
請求項８に記載のシステム。
【請求項１０】
前記少なくとも１つの搬送クライアント選好が、少なくとも１つの価格設定選好、少なくとも１つの高価格設定選好、少なくとも１つの地理的位置選好、少なくとも１つの距離選好、少なくとも１つのルート選好、少なくとも１つのサービス所要時間選好、少なくとも１つのサービス開始地理的位置選好、少なくとも１つのサービス終了地理的位置選好、少なくとも１つの時間選好、少なくとも１つの予測選好、少なくとも１つの過去選好、少なくとも１つの効率選好、少なくとも１つのセンサ選好、少なくとも１つのイベント選好、少なくとも１つの交通量基準選好、少なくとも１つの道路条件選好、少なくとも１つの気象条件選好、少なくとも１つの輸送選好、少なくとも１つのルート計画選好、少なくとも１つの燃費選好、少なくとも１つのバッテリ寿命選好、少なくとも１つの車両容量選好、少なくとも１つの車両診断選好、少なくとも１つの搬送データ選好、少なくとも１つの搬送サービス所要時間選好、少なくとも１つの搬送サービス提供密度選好、少なくとも１つの搬送クライアント密度選好、少なくとも１つの搬送クライアント詳細選好、少なくとも１つの搬送クライアント格付け選好、少なくとも１つの代理人密度選好、少なくとも１つの自律車両密度選好、少なくとも１つのサービスプロバイダ選好、少なくとも１つのサービスプロバイダ密度選好、少なくとも１つのサービスレベル選好、少なくとも１つの商品サプライヤ選好、少なくとも１つの商品サプライヤ密度選好、少なくとも１つの自律車両の少なくとも１つのオーナまたは少なくとも１つのコントローラ選好、少なくとも１つの自律車両密度の少なくとも１つのオーナまたは少なくとも１つのコントローラ選好、少なくとも１つのフリートマネージャ選好、少なくとも１つのフリートマネージャ密度選好、少なくとも１つのロジスティクスプロバイダ選好、少なくとも１つのロジスティクスプロバイダ密度選好、少なくとも１つのロジスティクスサプライヤ選好、少なくとも１つのロジスティクスサプライヤ密度選好、少なくとも１つの商品詳細選好、少なくとも１つの搬送業界セグメント選好、少なくとも１つの貨物選好、少なくとも１つのウェイポイント選好、少なくとも１つの配達サービス選好、少なくとも１つの最古未解決提供選好、またはそれらの組み合わせを含む、
請求項１に記載のシステム。
【請求項１１】
前記少なくとも１つの視覚的表現が、少なくとも１つの動的マップ、少なくとも１つのヒートマップ、またはそれらの組み合わせを含む、
請求項１に記載のシステム。
【請求項１２】
前記少なくとも１つの搬送クライアントが、前記少なくとも１つの視覚的表現を利用して、前記少なくとも１つの搬送クライアント選好、前記少なくとも１つの搬送クライアントの前記少なくとも１つのリアルタイムまたはほぼリアルタイムの地理的位置、またはそれらの組合せに関連する前記少なくとも１つの好ましい搬送サービス提供をリアルタイムまたはほぼリアルタイムで確保または取得する、
請求項１１に記載のシステム。
【請求項１３】
前記少なくとも１つの搬送クライアント選好を、少なくとも１つのアイコンまたは少なくとも１つの視覚的表現として、前記少なくとも１つの視覚的表現とともにまたは前記少なくとも１つの視覚的表現上に表示することで、前記少なくとも１つの搬送クライアントが、対応する搬送データが関連付けられた前記複数のフィルタリングされた搬送サービス提供、対応する搬送データが関連付けられた前記少なくとも１つの好ましい搬送サービス提供、またはそれらの組合せの全部または一部を分析または評価することを可能にし、少なくとも１つの搬送業界セグメントで活動する少なくとも１つのサービスプロバイダまたは少なくとも１つの商品サプライヤに関連する前記少なくとも１つの好ましい搬送サービス提供を確保または取得することを可能にする、
請求項１１に記載のシステム。
【請求項１４】
前記少なくとも１つの好ましい搬送サービス提供、前記少なくとも１つの搬送クライアント選好、またはそれらの組合せが、少なくとも１つの搬送業界セグメントで活動する少なくとも１つのサービスプロバイダまたは少なくとも１つの商品サプライヤに関連する前記複数のフィルタリングされた搬送サービス提供の全部または一部と比較して視覚的に識別可能な少なくとも１つのフォーマットで表示される、
請求項１１に記載のシステム。
【請求項１５】
前記少なくとも１つの動的マップが、リアルタイムまたはほぼリアルタイムで、対応する搬送データが関連付けられた前記複数のフィルタリングされた搬送サービス提供の全部または一部、対応する搬送データが関連付けられた前記少なくとも１つの好ましい搬送サービス提供、前記少なくとも１つの搬送クライアント選好、またはそれらの組合せを表示する前記少なくとも１つの地理的マップを含む、
請求項１１に記載のシステム。
【請求項１６】
前記少なくとも１つのヒートマップが、
対応する搬送データが関連付けられた前記複数の搬送サービス提供の全部または一部、
対応する搬送データが関連付けられた前記複数のフィルタリングされた搬送サービス提供の全部または一部、
対応する搬送データが関連付けられた前記少なくとも１つの好ましい搬送サービス提供の全部または一部、
前記少なくとも１つの搬送クライアント選好、または
それらの組み合わせ
の少なくとも１つの統計変数の少なくとも１つの視覚的描写を表示する前記少なくとも１つの地理的マップを含む、
請求項１１に記載のシステム。
【請求項１７】
前記少なくとも１つの統計変数が、搬送サービスの利用可能性、価格設定、高価格設定、搬送サービス提供密度、フィルタリングされた搬送サービス提供密度、好ましい搬送サービス提供密度、好ましい商品サプライヤ密度、少なくとも１つの好ましい搬送業界セグメント、搬送業界セグメント密度、サービスレベル密度、少なくとも１つの搬送サービス距離、少なくとも１つの推定到着時間、好ましい代理人密度、代理人密度、搬送クライアント密度、サービスプロバイダ密度、商品サプライヤ密度、またはそれらの組合せの少なくとも１つの測定値を含む、
請求項１６に記載のシステム。
【請求項１８】
前記少なくとも１つのヒートマップの少なくとも１つのエリアが、前記少なくとも１つの統計変数の少なくとも１つの測定値に比例して区別され、少なくとも１つの区別可能な色相、少なくとも１つの区別可能な色調、少なくとも１つの区別可能な飽和度、少なくとも１つの区別可能な不透明度、少なくとも１つの区別可能な色、少なくとも１つの区別可能な色の値、少なくとも１つの区別可能なパターン、少なくとも１つの区別可能なハッチング、少なくとも１つの区別可能な形状、少なくとも１つの区別可能な画像、少なくとも１つの区別可能なアニメーション、またはそれらの組合せを有するものとして表示される、
請求項１７に記載のシステム。
【請求項１９】
前記少なくとも１つの好ましい搬送サービス提供が、前記少なくとも１つのヒートマップ、少なくとも１つのリアルタイムまたはほぼリアルタイムのヒートマップ、少なくとも１つの履歴ヒートマップ、少なくとも１つの予測ヒートマップ、またはそれらの組合せをコンパイルする前に識別されない、
請求項１７に記載のシステム。
【請求項２０】
搬送業界内で、少なくとも１つの視覚的表現を使用して、少なくとも１つの搬送クライアント選好および少なくとも１つの搬送クライアントの少なくとも１つのリアルタイムまたはほぼリアルタイムの地理的位置に関連する少なくとも１つの好ましい搬送サービス提供を確保または取得する少なくとも１つのプロセスにおいて少なくとも１つの搬送クライアントを支援するための、リアルタイムまたはほぼリアルタイムの方法であって、
ａ）請求項８１に記載のシステムを提供するステップと、
ｂ）前記少なくとも１つのサービス開始地理的位置、前記少なくとも１つのサービス終了地理的位置、前記少なくとも１つの搬送クライアント選好、またはそれらの組合せを、前記少なくとも１つの端末上の前記少なくとも１つのアプリケーションに提供するステップと、
ｃ）前記少なくとも１つのサービス開始地理的位置、前記少なくとも１つのサービス終了地理的位置、前記少なくとも１つの搬送クライアント選好、またはそれらの組合せを、前記少なくとも１つのアプリケーションと前記少なくとも１つの中央サーバとの間の少なくとも１つのリンクを介して、前記少なくとも１つのアプリケーションから前記少なくとも１つの中央サーバにリアルタイムまたはほぼリアルタイムで送信するステップと、
ｄ）前記少なくとも１つの中央サーバにおいて、前記少なくとも１つのサービス開始地理的位置、前記少なくとも１つのサービス終了地理的位置、前記少なくとも１つの搬送クライアント選好、またはそれらの組合せを、前記少なくとも１つの中央サーバと前記少なくとも１つのアプリケーションとの間の少なくとも１つのリンクを介して、前記少なくとも１つのアプリケーションからリアルタイムまたはほぼリアルタイムで受信するステップと、
ｅ）前記少なくとも１つのサービス開始地理的位置、前記少なくとも１つのサービス終了地理的位置、前記少なくとも１つの搬送クライアント選好、またはそれらの組合せを、前記少なくとも１つの中央サーバと前記少なくとも１つの外部サーバとの間の少なくとも１つのリンクを介して、前記少なくとも１つの中央サーバから前記少なくとも１つの外部サーバにリアルタイムまたはほぼリアルタイムで送信するステップと、
ｆ）前記少なくとも１つの外部サーバにおいて、前記少なくとも１つのサービス開始地理的位置、前記少なくとも１つのサービス終了地理的位置、前記少なくとも１つの搬送クライアント選好、またはそれらの組合せを、前記少なくとも１つの外部サーバと前記少なくとも１つの中央サーバとの間の少なくとも１つのリンクを介して、前記少なくとも１つの中央サーバからリアルタイムまたはほぼリアルタイムで受信するステップと、
ｇ）前記少なくとも１つの中央サーバにおいて、前記少なくとも１つの中央サーバと前記少なくとも１つの外部サーバとの間の少なくとも１つのリンクを介して、前記少なくとも１つの外部サーバから前記複数の搬送サービス提供の全部または一部をリアルタイムまたはほぼリアルタイムで受信するステップと、
ｈ）前記少なくとも１つの中央サーバの前記少なくとも１つのコンピュータ可読メモリに、前記複数の搬送サービス提供の全部または一部をリアルタイムまたはほぼリアルタイムで格納するステップと、
ｉ）前記少なくとも１つの中央サーバを使用して、前記複数の搬送サービス提供の全部または一部をリアルタイムまたはほぼリアルタイムで標準化するステップと、
ｊ）前記少なくとも１つの中央サーバを使用して、前記複数の搬送サービス提供の全部または一部をリアルタイムまたはほぼリアルタイムで集約するステップと、
ｋ）前記少なくとも１つのアプリケーションと前記少なくとも１つの中央サーバとの間の少なくとも１つのリンクを介して、前記少なくとも１つのアプリケーションから前記少なくとも１つの中央サーバに前記少なくとも１つの搬送クライアント選好および前記少なくとも１つの搬送クライアントの前記少なくとも１つのリアルタイムまたはほぼリアルタイムの地理的位置をリアルタイムまたはほぼリアルタイムで送信するステップであって、
ｉ）前記少なくとも１つの搬送クライアントが、前記少なくとも１つの端末の前記少なくとも１つの入力ソースを使用して、前記少なくとも１つのアプリケーションに前記少なくとも１つの搬送クライアント選好を入力または提供し、
ｉｉ）前記少なくとも１つのアプリケーションが、前記少なくとも１つの端末の前記少なくとも１つの地理的位置モジュールを使用して前記少なくとも１つの搬送クライアントの前記少なくとも１つのリアルタイムまたはほぼリアルタイムの地理的位置を提供する
ステップと、
ｌ）前記少なくとも１つの中央サーバと前記少なくとも１つのアプリケーションとの間の少なくとも１つのリンクを介して、前記少なくとも１つの中央サーバにおいて、前記少なくとも１つの搬送クライアント選好および前記少なくとも１つのアプリケーションから前記少なくとも１つの搬送クライアントの前記少なくとも１つのリアルタイムまたはほぼリアルタイムの地理的位置をリアルタイムまたはほぼリアルタイムで受信するステップと、
ｍ）前記少なくとも１つの中央サーバにおいて、前記少なくとも１つの搬送クライアント選好および前記少なくとも１つの搬送クライアントの少なくとも１つのリアルタイムまたはほぼリアルタイムの地理的位置を使用して前記複数の搬送サービス提供の全部または一部をリアルタイムまたはほぼリアルタイムでフィルタリングし、前記複数のフィルタリングされた搬送サービス提供の全部または一部を識別するステップと、
ｎ）前記少なくとも１つの中央サーバにおいて、前記少なくとも１つの搬送クライアント選好に関連する前記複数のフィルタリングされた搬送サービス提供の全部または一部から、前記少なくとも１つの好ましい搬送サービス提供をリアルタイムまたはほぼリアルタイムで識別するステップと、
ｏ）前記少なくとも１つの中央サーバと前記少なくとも１つのアプリケーションとの間の少なくとも１つのリンクを介して、前記少なくとも１つの中央サーバから前記少なくとも１つのアプリケーションに、対応する搬送データが関連付けられた前記複数のフィルタリングされた搬送サービス提供の全部または一部、対応する搬送データが関連付けられた前記少なくとも１つの好ましい搬送サービス提供、またはそれらの組合せをリアルタイムまたはほぼリアルタイムで送信するステップと、
ｐ）前記少なくとも１つのアプリケーションと前記少なくとも１つの中央サーバとの間の少なくとも１つのリンクを介して、前記少なくとも１つのアプリケーションにおいて、前記少なくとも１つの中央サーバから、対応する搬送データが関連付けられた前記複数のフィルタリングされた搬送サービス提供の全部または一部、対応する搬送データが関連付けられた前記少なくとも１つの好ましい搬送サービス提供、またはそれらの組合せを、リアルタイムまたはほぼリアルタイムで受信するステップと、
ｑ）前記少なくとも１つのアプリケーションにおいて、前記少なくとも１つの視覚的表現をデジタル形式でリアルタイムまたはほぼリアルタイムでコンパイルするステップであって、
ｉ）前記少なくとも１つの搬送クライアントの前記少なくとも１つのリアルタイムまたはほぼリアルタイムの地理的位置に関連する前記少なくとも１つの地理的マップが前記少なくとも１つのアプリケーション上で提供され、
ｉｉ）対応する搬送データが関連付けられた前記複数のフィルタリングされた搬送サービス提供の全部または一部、対応する搬送データが関連付けられた前記少なくとも１つの好ましい搬送サービス提供、またはそれらの組み合わせが、それらに含まれる少なくとも１つの対応する地理的位置に関連する前記少なくとも１つの地理的マップ上に配置され、
ｉｉｉ）前記少なくとも１つの視覚的表現が、対応する搬送データが関連付けられた後続のまたは追加の前記複数のフィルタリングされた搬送サービス提供の全部または一部、対応する搬送データが関連付けられた後続のまたは追加の前記少なくとも１つの好ましい搬送サービス提供、またはそれらの組み合わせで、リアルタイムまたはほぼリアルタイムで更新される
ステップと、
ｒ）前記少なくとも１つの端末の前記少なくとも１つのディスプレイを使用して、前記少なくとも１つの視覚的表現を前記少なくとも１つのアプリケーション上にリアルタイムまたはほぼリアルタイムで表示するステップと、
ｓ）前記少なくとも１つの搬送クライアントが、前記少なくとも１つの視覚的表現を分析または評価して、前記少なくとも１つの好ましい搬送サービス提供を確保または取得し、次いで、前記少なくとも１つの搬送クライアントが、前記少なくとも１つの搬送サービスを受けるステップと、を含む
方法。
【請求項２１】
前記複数の搬送サービス提供の全部または一部、前記少なくとも１つの搬送クライアントの前記少なくとも１つのリアルタイムまたはほぼリアルタイムの地理的位置、またはそれらの組合せが、少なくとも１つの異なるフォーマットで構造化され、少なくとも１つの一様なフォーマットに標準化または変換される、
請求項２０に記載の方法。
【請求項２２】
前記複数の搬送サービス提供の全部または一部が、前記少なくとも１つの搬送クライアント選好および前記少なくとも１つの搬送クライアントの前記少なくとも１つのリアルタイムまたはほぼリアルタイムの地理的位置に関してフィルタリングされ、前記複数のフィルタリングされた搬送サービス提供の全部または一部が、分類、フィルタリング、特徴付け、スクリーニング、選択、分離、識別、指定、区別、命名、番号付け、順序付け、体系化、タグ付け、ラベル付け、認識、配置、ブラケット付け、ランキング、整理、分類、隔離、分離、グループ化、比較、またはそれらの組合せの少なくとも１つのプロセスによって識別される、
請求項２０に記載の方法。
【請求項２３】
前記複数の搬送サービス提供の全部または一部をフィルタリングする際に、前記少なくとも１つの搬送クライアントの前記少なくとも１つのリアルタイムまたはほぼリアルタイムの地理的位置以外の少なくとも１つの異なる地理的位置が使用される、
請求項２２に記載の方法。
【請求項２４】
前記少なくとも１つの好ましい搬送サービス提供が、前記少なくとも１つの搬送クライアント選好の少なくとも１つの加重平均に関連する前記複数のフィルタリングされた搬送サービス提供の全部または一部から識別される、
請求項２０に記載の方法。
【請求項２５】
前記少なくとも１つの視覚的表現が、少なくとも１つの動的マップ、少なくとも１つのヒートマップ、またはそれらの組合せを含む、
請求項２０に記載の方法。
【請求項２６】
前記少なくとも１つの搬送クライアントが、前記少なくとも１つの視覚的表現を利用して、前記少なくとも１つの搬送クライアント選好、前記少なくとも１つの搬送クライアントの前記少なくとも１つのリアルタイムまたはほぼリアルタイムの地理的位置、またはそれらの組合せに関連する前記少なくとも１つの好ましい搬送サービス提供をリアルタイムまたはほぼリアルタイムで確保または取得する、
請求項２５に記載の方法。
【請求項２７】
前記少なくとも１つの好ましい搬送サービス提供、前記少なくとも１つの搬送クライアント選好、またはそれらの組合せが、少なくとも１つの搬送業界セグメントで活動する少なくとも１つのサービスプロバイダまたは少なくとも１つの商品サプライヤに関連する前記複数のフィルタリングされた搬送サービス提供の全部または一部と比較して視覚的に識別可能な少なくとも１つのフォーマットで表示される、
請求項２５に記載の方法。
【請求項２８】
前記少なくとも１つのヒートマップが、
対応する搬送データが関連付けられた前記複数の搬送サービス提供の全部または一部、
対応する搬送データが関連付けられた前記複数のフィルタリングされた搬送サービス提供の全部または一部、
対応する搬送データが関連付けられた前記少なくとも１つの好ましい搬送サービス提供の全部または一部、
前記少なくとも１つの搬送クライアント選好、または
それらの組み合わせ
の少なくとも１つの統計変数の少なくとも１つの視覚的描写を表示する前記少なくとも１つの地理的マップを含む、
請求項２５に記載の方法。
【請求項２９】
前記少なくとも１つの好ましい輸送サービス提供が、前記少なくとも１つのヒートマップ、少なくとも１つのリアルタイムまたはほぼリアルタイムのヒートマップ、少なくとも１つの履歴ヒートマップ、少なくとも１つの予測ヒートマップ、またはそれらの組合せをコンパイルする前に識別されない、
請求項２５に記載の方法。